【手続補正書】
【提出日】平成25年2月4日(2013.2.4)
【手続補正１】
【補正対象書類名】特許請求の範囲
【補正対象項目名】全文
【補正方法】変更
【補正の内容】
【特許請求の範囲】
【請求項１】
コンテンツメモリデバイスを、コントローラーを有する再生用デバイスに接続した後に、前記コントローラーを用いて前記コンテンツメモリデバイスを認証する方法であって、
欠陥マップに基づいて特定される欠陥を有する前記コンテンツメモリデバイスの領域から、書き込まれたデータパターンを前記領域内の前記欠陥によって変更したデータパターンであるユニークなデータパターンを読み出す工程と、
前記ユニークなデータパターンと、前記書き込まれたデータパターンと、前記欠陥マップの少なくとも一部に基づいて、前記コンテンツメモリデバイスの認証を行う工程とを備えることを特徴とする方法。
【請求項２】
前記書き込まれたデータパターンは、前記再生用デバイス内のデバイスメモリ内にも保存されており、
前記コンテンツメモリデバイスの認証を行う工程は、保存されている前記書き込まれたデータパターンを読み出すために、前記再生用デバイス内の前記デバイスメモリにアクセスする工程を備える請求項１に記載の方法。
【請求項３】
前記書き込まれたデータパターンを生成する工程と、
前記書き込まれたデータパターンを前記領域に書き込む工程とをさらに備える請求項１に記載の方法。
【請求項４】
前記書き込まれたデータパターンを前記再生用デバイス内のデバイスメモリに保存する工程をさらに備える請求項３に記載の方法。
【請求項５】
前記再生用デバイス内の前記デバイスメモリに前記書き込まれたデータパターンを受信させる工程をさらに備え、
前記書き込まれたデータパターンは、製造者またはコンテンツプロバイダーの一方によって前記コンテンツメモリデバイスに書き込まれている請求項２に記載の方法。
【請求項６】
前記コンテンツメモリデバイスの認証後に、前記コンテンツメモリデバイスに保存されたコンテンツにアクセスすることを許可する工程をさらに備える請求項１に記載の方法。
【請求項７】
前記コントローラーを用いて前記認証を行う工程は、予測データパターンを生成するために、前記欠陥マップを用いて、読み出した前記書き込まれたデータパターンを変更する工程と、
前記予測データパターンと前記ユニークなデータパターンとを比較する工程とをさらに含む請求項２に記載の方法。
【請求項８】
前記欠陥マップを読み出すために、前記コンテンツメモリデバイスにアクセスする工程をさらに含む請求項１に記載の方法。
【請求項９】
前記領域から前記ユニークなデータパターンを読み出す工程は、予測される断続的欠陥を検出するために、少なくとも２回、前記ユニークなデータパターンを読み出す工程を含む請求項１に記載の方法。
【請求項１０】
前記ユニークなデータパターンと、前記書き込まれたデータパターンと、前記欠陥マップに基づいて、前記コンテンツメモリデバイスの認証を行う工程は、
前記コントローラーを用いて、前記ユニークなデータパターンと、前記欠陥マップと前記書き込まれたデータパターンの少なくとも一部から算出された予測データパターンとの比較を行う工程を含む請求項１に記載の方法。
【請求項１１】
前記予測データパターンは、前記コントローラーを用いて算出され、
前記予測データパターンは、前記欠陥マップを用いて前記書き込まれたデータパターンを変更することにより算出される請求項１０に記載の方法。
【請求項１２】
前記ユニークなデータパターンと、前記書き込まれたデータパターンと、前記欠陥マップの少なくとも一部に基づいて、前記コンテンツメモリデバイスの認証を行う工程は、前記コントローラーを用いて、
前記書き込まれたデータパターンを再生成するために、前記ユニークなデータパターンのエラーを修正する工程と、
前記欠陥を特定するために、前記書き込まれたデータパターンと前記ユニークなデータパターンを比較する工程と、
特定された前記欠陥と、前記欠陥マップとを比較する工程とをさらに備える請求項１に記載の方法。
【請求項１３】
前記領域の位置は、前記コンテンツメモリデバイスの認証されていないユーザーには、知られていない請求項１に記載の方法。
【請求項１４】
前記領域は、欠陥セルを含み、
前記欠陥マップは、前記領域の前記欠陥セルを示す請求項１に記載の方法。
【請求項１５】
前記領域は、欠陥確率を有するセルを含み、
前記コントローラーを用いて、前記ユニークなデータパターンと、前記書き込まれたデータパターンと、前記欠陥マップの少なくとも一部に基づいて、前記コンテンツメモリデバイスの認証を行う工程は、
前記ユニークなデータパターンと、前記書き込まれたデータパターンと、前記欠陥マップと、前記セルの前記欠陥確率の少なくとも一部に基づいて、前記コンテンツメモリデバイスの認証を行う工程を含む請求項１に記載の方法。
【請求項１６】
前記ユニークなデータパターンと、前記書き込まれたデータパターンと、前記欠陥マップと、前記セルの前記欠陥確率の少なくとも一部に基づいて、前記コンテンツメモリデバイスの認証を行う工程は、
前記コントローラーを用いて、前記ユニークなデータパターンと前記書き込まれたデータパターンを、前記欠陥マップと前記セルの前記欠陥確率から定められた相間測度の少なくとも一部に基づいて、照合する工程を含む請求項１５に記載の方法。
【請求項１７】
再生用デバイスであって、
コンテンツメモリデバイスを接続するためのポートと、
前記ポートに通信可能に接続されたコントローラーを備え、
前記コントローラーは、
前記コンテンツメモリデバイスを前記再生用デバイスに接続した後に、欠陥マップに基づいて特定される欠陥を有する前記コンテンツメモリデバイスの領域から、書き込まれたデータパターンを前記領域内の前記欠陥によって変更したデータパターンであるユニークなデータパターンを読み出し、
前記ユニークなデータパターンと、前記書き込まれたデータパターンと、前記欠陥マップの少なくとも一部に基づいて、前記コンテンツメモリデバイスの認証を行うことを特徴とする再生用デバイス。
【請求項１８】
前記書き込まれたデータパターンは、前記コントローラーと通信可能に接続されたデバイスメモリ内に保存されており、
前記コントローラーは、前記再生用デバイス内の前記デバイスメモリにアクセスし、前記書き込まれたデータパターンを読み出すよう構成されている請求項１７に記載の再生用デバイス。
【請求項１９】
前記コントローラーは、前記書き込まれたデータパターンを生成し、前記書き込まれたデータパターンを前記領域に書き込むよう構成されている請求項１７に記載の再生用デバイス。
【請求項２０】
前記コントローラーは、さらに、前記書き込まれたデータパターンを、前記コントローラーと通信可能に接続されたデバイスメモリ内に保存するよう構成されている請求項１９に記載の再生用デバイス。
【請求項２１】
前記書き込まれたデータパターンは、前記コンテンツメモリデバイスが前記再生用デバイスに接続される前に、前記デバイスメモリ内に保存されており、
前記書き込まれたデータパターンは、製造者またはコンテンツプロバイダーの一方によって前記コンテンツメモリデバイスに書き込まれている請求項１８に記載の再生用デバイス。
【請求項２２】
前記コントローラーは、前記コンテンツメモリデバイスが認証されている場合にのみ、前記コンテンツメモリデバイス内に保存されたコンテンツにアクセスすることを許可する請求項１７に記載の再生用デバイス。
【請求項２３】
前記コントローラーは、予測データパターンを生成するために、前記欠陥マップを用いて、読み出した前記書き込まれたデータパターンを変更し、
前記予測データパターンと前記ユニークなデータパターンとを比較することにより前記コンテンツメモリデバイスを認証するよう構成されている請求項１８に記載の再生用デバイス。
【請求項２４】
前記コントローラーは、前記欠陥マップを読み出すために、前記コンテンツメモリデバイスにアクセスするよう構成されている請求項１８に記載の再生用デバイス。
【請求項２５】
前記コントローラーは、予測される断続的欠陥を検出するために、少なくとも２回、前記ユニークなデータパターンを読み出す請求項１７に記載の再生用デバイス。
【請求項２６】
前記コントローラーは、前記ユニークなデータパターンと、前記書き込まれたデータパターンと、前記欠陥マップに基づき、少なくとも前記ユニークなデータパターンと、予測データパターンとの比較を行うことにより前記コンデンツメモリデバイスの認証を行うよう構成されており、
前記コントローラーは、さらに、前記予測データパターンを、前記欠陥マップと前記書き込まれたデータパターンの少なくとも一部から算出するよう構成されている請求項１７に記載の再生用デバイス。
【請求項２７】
前記コントローラーは、前記欠陥マップを用いて、前記書き込まれたデータパターンを変更することにより、前記予測データパターンを算出するよう構成されている請求項２６に記載の再生用デバイス。
【請求項２８】
前記コントローラーは、前記ユニークなデータパターンと、前記書き込まれたデータパターンと、前記欠陥マップに基づき、前記ユニークなデータパターンと、前記書き込まれたデータパターンとの比較、および前記ユニークなデータパターンと、前記欠陥マップの比較の少なくとも一部を行うことにより、前記コンテンツメモリデバイスの認証を行うよう構成されている請求項１７に記載の再生用デバイス。
【請求項２９】
前記コントローラーは、前記ユニークなデータパターンと、前記書き込まれたデータパターンと、前記欠陥マップの少なくとも一部に基づき、前記書き込まれたデータパターンを再生成するために前記ユニークなデータパターンのエラーを修正すること、前記欠陥を特定するために前記書き込まれたデータパターンと前記ユニークなデータパターンを比較すること、および特定された前記欠陥と前記欠陥マップとを比較することの少なくとも一部を行うことにより、前記コンテンツメモリデバイスの認証を行うよう構成されている請求項１７に記載の再生用デバイス。
【請求項３０】
前記領域の位置は、前記コンテンツメモリデバイスの認証されていないユーザーには、知られていない請求項１７に記載の再生用デバイス。
【請求項３１】
前記領域は、欠陥セルを含み、
前記欠陥マップは、前記領域の前記欠陥セルを示す請求項１７に記載の再生用デバイス。
【請求項３２】
前記領域は、欠陥確率を有するセルを含み、
前記コントローラーは、前記ユニークなデータパターンと、前記書き込まれたデータパターンと、前記欠陥マップと、前記セルの前記欠陥確率の少なくとも一部に基づいて、前記コンテンツメモリデバイスの認証を行うよう構成されている請求項１７に記載の再生用デバイス。
【請求項３３】
前記コントローラーは、前記ユニークなデータパターンと前記書き込まれたデータパターンの少なくとも一部を、前記欠陥マップと前記セルの前記欠陥確率から定められた相間測度とに従って照合することにより、前記コンテンツメモリデバイスの認証を行うよう構成されている請求項３２に記載の再生用デバイス。
【請求項３４】
コンテンツメモリデバイスを、再生用デバイスに接続した後に、前記コンテンツメモリデバイスを認証するためのデータを提供する方法であって、
欠陥マップに基づいて特定される欠陥を有し、認証実体によって書き込みが実行される前記コンテンツメモリデバイスの領域から、書き込まれたデータパターンを前記領域内の前記欠陥によって変更したデータパターンであるユニークなデータパターンを読み出す工程と、
前記ユニークなデータパターンと前記欠陥マップを前記再生用デバイスに送信する工程と、
送信された前記ユニークなデータパターンと前記欠陥マップを用いた前記コンテンツメモリデバイスの認証に応答して、前記再生用デバイスにコンテンツを送信する工程とを備えることを特徴とする方法。
【請求項３５】
前記ユニークなデータパターンは、予測される断続的欠陥を検出するために、少なくとも２回送信される請求項３４に記載の方法。
【請求項３６】
前記コンテンツメモリデバイスの認証は、前記ユニークなデータパターンと予測データパターンを比較する工程を含み、
前記予測データパターンは、前記欠陥マップと前記書き込まれたデータパターンの少なくとも一部から算出される請求項３４に記載の方法。
【請求項３７】
前記予測データパターンは、前記欠陥マップを用いて、読み出した前記書き込まれたデータパターンを変更することにより算出される請求項３６に記載の方法。
【請求項３８】
前記コンテンツメモリデバイスの認証は、前記欠陥を特定するために、前記ユニークなデータパターンと、エラーが修正された前記ユニークなデータパターンとを比較し、
特定された前記欠陥と、前記欠陥マップとを比較する工程を含む請求項３４に記載の方法。
【請求項３９】
前記領域の位置は、前記コンテンツメモリデバイスの認証されていないユーザーには、知られていない請求項３４に記載の方法。
【請求項４０】
前記領域は、欠陥セルを含み、
前記欠陥マップは、前記領域の前記欠陥セルを示す請求項３５に記載の方法。
【請求項４１】
前記認証実体は、前記再生用デバイスを含み、
前記再生用デバイスから前記書き込まれたデータパターンを受信する工程と、
前記再生用デバイスから受信した前記書き込まれたデータパターンを、前記コンテンツメモリデバイス内の前記領域に書き込む工程とをさらに含む請求項３４に記載の方法。
【請求項４２】
前記書き込まれたデータパターンは、前記再生用デバイスによって生成されている請求項４１に記載の方法。
【請求項４３】
前記書き込まれたデータパターンは、前記コンテンツメモリデバイスの製造者によって生成され、前記再生用デバイスに送信される請求項４１に記載の方法。
【請求項４４】
前記書き込まれたデータパターンは、コンテンツプロバイダーによって生成され、前記再生用デバイスに送信される請求項４１に記載の方法。
【請求項４５】
前記認証実体は、前記コンテンツメモリデバイスの製造者を含み、
前記書き込まれたデータパターンは、前記コンテンツメモリデバイスの前記製造者によって書き込まれている請求項３４に記載の方法。
【請求項４６】
前記認証実体は、前記コンテンツメモリデバイスのコンテンツプロバイダーを含む請求項３４に記載の方法。
【請求項４７】
前記欠陥マップは、デジタル的にサインされている請求項３４に記載の方法。
【請求項４８】
再生用デバイスと通信可能に接続されることによって認証可能なコンテンツメモリデバイスであって、
前記コンテンツメモリを前記再生用デバイスに接続するためのコネクタと、
前記コネクタと通信可能に接続され、認証中に前記再生用デバイスと相互通信するよう構成されたコンテンツメモリデバイスコントローラーを備え、
前記コンテンツメモリーデバイスコントローラーは、
前記コンテンツメモリデバイスの領域から、認証実体によって書き込まれたデータパターンを前記コンテンツメモリデバイス内に保存された欠陥マップによって特定される前記領域内の欠陥によって変更したデータパターンであるユニークなデータパターンを読み出し、
前記ユニークなデータパターンと前記欠陥マップを前記再生用デバイスに送信し、
送信された前記ユニークなデータパターンと前記欠陥マップを用いた前記コンテンツメモリデバイスの認証に応答して、前記再生用デバイスにコンテンツを送信することにより、認証中に前記再生用デバイスと相互通信することを特徴とするコンテンツメモリデバイス。
【請求項４９】
前記コンテンツメモリデバイスは、予測される断続的欠陥を検出するために、前記ユニークなデータパターンを少なくとも２回読み出すよう、前記再生用デバイスと相互通信する請求項４８に記載のコンテンツメモリデバイス。
【請求項５０】
前記コンテンツメモリデバイスの認証は、前記ユニークなデータパターンと予測データパターンを比較する工程を含み、
前記予測データパターンは、前記欠陥マップと前記書き込まれたデータパターンの少なくとも一部から算出される請求項４８に記載のコンテンツメモリデバイス。
【請求項５１】
前記予測データパターンは、前記欠陥マップを用いて変更された前記書き込まれたデータパターンである請求項５０に記載のコンテンツメモリデバイス。
【請求項５２】
前記コンテンツメモリデバイスの認証は、前記欠陥を特定するために、前記ユニークなデータパターンと、エラーが修正された前記ユニークなデータパターンとを比較し、
特定された前記欠陥と、前記欠陥マップとを比較する工程を含む請求項４８に記載のコンテンツメモリデバイス。
【請求項５３】
前記領域の位置は、前記コンテンツメモリデバイスの認証されていないユーザーには、知られていない請求項４８に記載のコンテンツメモリデバイス。
【請求項５４】
前記領域は、欠陥セルを含み、
前記欠陥マップは、前記領域の前記欠陥セルを示す請求項４８に記載のコンテンツメモリデバイス。
【請求項５５】
前記認証実体は、前記再生用デバイスを含み、
前記コンテンツメモリデバイスは、
前記再生用デバイスから前記書き込みデータパターンを受信し、
前記再生用デバイスから受信した前記書き込まれたデータパターンを、前記コンテンツメモリデバイス内の前記領域に書き込むことにより、認証中に前記再生用デバイスとさらに相互通信する請求項４８に記載のコンテンツメモリデバイス。
【請求項５６】
前記書き込まれたデータパターンは、前記再生用デバイスによって生成されている請求項５５に記載のコンテンツメモリデバイス。
【請求項５７】
前記書き込まれたデータパターンは、前記コンテンツメモリデバイスの製造者によって生成され、前記再生用デバイスに送信される請求項５５に記載のコンテンツメモリデバイス。
【請求項５８】
前記書き込まれたデータパターンは、コンテンツプロバイダーによって生成され、前記再生用デバイスに送信される請求項５３に記載のコンテンツメモリデバイス。
【請求項５９】
前記認証実体は、前記コンテンツメモリデバイスの製造者を含み、
前記書き込まれたデータパターンは、前記コンテンツメモリデバイスの前記製造者によって書き込まれている請求項４８に記載のコンテンツメモリデバイス。
【請求項６０】
前記認証実体は、前記コンテンツメモリデバイスのコンテンツプロバイダーを含む請求項４８に記載のコンテンツメモリデバイス。
【請求項６１】
前記欠陥マップは、デジタル的にサインされている請求項４８に記載のコンテンツメモリデバイス。